(57)【要約】【課題】ストーブに接続された煙突が壁抜き施工の場合には、従来の水平配管施工ではドラフト効果を低下させてしまい、排煙効率が低下してしまう、そしてまた燃焼効率も低下してしまうという欠点があった。【解決手段】ストーブに接続された煙突の燃焼効率を低下させることなく壁抜き煙突の施工角度を強化眼鏡板と一体化もしくはガイド筒付き強化眼鏡板を設けることにより、斜めの角度（３０度、４５度、６０度）が任意の角度で容易に施工できるようにしたこと。【選択図】    図2
2007278617.tif 000002
【特許請求の範囲】
【請求項１】
壁出し配管において、雨水の浸入を防止するフラッシングを使い、例えば、上向きに３０度、４５度、６０度と任意の角度を持った壁出し煙突の支持金具を使ってドラフト効果の良いフラッシング方式の勾配用支持金具と勾配型煙突。
【請求項２】
壁出し配管において、雨水の浸入を防止する強化眼鏡板と煙突もしくは煙突を挿入できるガイド筒が一体となった垂直壁面（外壁材）に対し煙突を例えば、上向きに  ３０度、４５度、６０度と任意の角度で戸外へ貫通させて出すことが出来るドラフト効果の良い、外壁面側から取り付けられる強化眼鏡板と一体にした勾配型強化眼鏡板一体煙突及び、強化眼鏡板と一体にした挿入用ガイド筒付き勾配型強化眼鏡板一体煙突。
【請求項３】
壁出し配管において、内壁面側（室内壁側）より煙突支持金具を例えば、上向きに３０度、４５度、６０度と任意の角度を持ったドラフト効果の良い壁出し煙突で、内壁面側（室内壁側）から取り付けられる強化眼鏡板と一体にした勾配型強化眼鏡板一体煙突及び、強化眼鏡板と一体にした挿入用ガイド筒付き勾配型強化眼鏡板一体煙突。
【請求項４】
壁出し配管において、既存の支持金具等や支え脚金具等を使用して、上向きに勾配にすることにより、勾配型支持金具と同じ効果のでる既存の支持金具等と支え脚金具等、そしてまた外部、室内に使用する勾配型化粧眼鏡板の煙突廻りを耐熱シーリングで防水することにより、請求項2の勾配型強化眼鏡板一体煙突と同等のドラフト効果を得ることのできる既存支持金具等、既存の支え脚等を使用して、簡易型勾配煙突。
【発明の詳細な説明】
【技術分野】
【０００１】
本発明は、主として、屋内に設置して薪や石炭等の固形燃料を燃焼させて室内を暖めることが出来るストーブのドラフト効果の良い勾配型一体煙突と勾配用支持金具に関するものである。
【背景技術】
【０００２】
従来、例えば筒状の炉体に煙突を設け、この炉体内で薪や石炭等の固形燃料を燃焼させるタイプのストーブが知られている。
【０００３】
このような固形燃料を燃やすストーブは、そのストーブ内に燃料を投入し燃焼室内で発生した排気ガスや煙を屋外に排出するため、そしてまたドラフト効果を得るために煙突が接続され、その煙突は建物の壁を貫通し屋外へと導かれるようになっている。
【０００４】
ストーブに接続された煙突が壁を貫通する時に、壁面に対して９０度に壁を抜き壁面部にメガネ石をはめ込み、メガネ石に煙突を水平に貫通させて戸外へ排出する。このため壁面貫通部分に必ず煙突が水平に設置されてしまう為、煙突によるドラフト効果を半減させてしまうという欠点があった。
【発明の開示】
【発明が解決しようとする課題】
【０００５】
解決しようとする問題点は、煙突を壁貫通させるときに、壁内にメガネ石を配設し、外壁側にはメガネ石カバー、または強化メガネ板を取り付け壁面に固定したウォールサポートの上に煙突の９０度曲がりのT字型もしくはL字型の継ぎ手を固定し、屋根上まで垂直に立ち上げ、ストーブで発生した煙を屋外に放出する煙突の壁貫通部分に使用する接続金物の形状と煙突角度に関するものである。  
【０００６】
従来、薪や石炭等の固形燃料を燃焼させるタイプのストーブにおいて、燃焼時ストーブから発生した煙と排ガスを戸外に排出させるために必ず煙突をストーブに接続する。その接続した煙突の長さによるドラフト効果を用いてストーブで発生した煙を戸外に排出させる構造にしている、しかし従来から一般的に用いられる壁出し煙突の設置方法は壁面に対して９０度で壁を貫通させる方法が施工の簡易さ、雨仕舞いの点で第一に行われてきた。
【０００７】
壁出し煙突が壁貫通時に９０度で壁を通過することは煙突が水平に設置されることであり、その水平煙突の前後には９０度曲がりのT字型もしくはL字型の継ぎ手が必要になる。その為、壁貫通時の水平煙突及びその前後の９０度曲がりのT字型もしくはL字型の継ぎ手の部分により煙突内部の通過抵抗が発生してしまうため、煙突全体長さでのドラフト力が相殺されてしまい、ストーブに対して煙突長さによる排気ガスの引きが悪くなり、ストーブの燃焼効率の低下や、ストーブに接続する煙突の長さを長くするという対策が必要になるという問題があった。
【課題を解決するための手段】
【０００８】
本発明は、煙突施工時に壁出し煙突が壁との角度を９０度ではなく、３０度、４５度、６０度と任意の角度を持って壁を貫通することが容易に出来るようにメガネ石カバー、または強化メガネ板に煙突支持ガイド板を取り付けておくか、勾配煙突用金具を取り付けておき煙突が壁の貫通する角度を任意の位置で固定できるようにしたこと。
【０００９】
メガネ石カバーまたは強化メガネ板に煙突支持ガイド板か、勾配煙突用金具を取り付けた場合は、その煙突支持ガイド板か勾配煙突用金具が取り付けられたメガネ石カバーまたは強化メガネ板が室内側であっても、また、室外側に設置された場合でも煙突が壁を貫通する角度は３０度、４５度、６０度と任意の角度で容易に固定できる。
【００１０】
また、勾配煙突用金具を使用しないで屋外側の壁面に取り付ける強化メガネ板に直接、煙突を接続固定して置くか、煙突よりも大きいサイズのガイド筒を強化メガネ板に対して３０度、４５度、６０度の角度で接続しておきそのガイド筒の中にストーブの煙突を挿入し、フラッシングで雨水の浸入を防止することも出来る。
【発明の効果】
【００１１】
本発明の煙突支持金具では、ストーブに接続された煙突が壁面を貫通し屋内から屋外に出るとき、その煙突が外側壁面に対して上向くように例えば、３０度、４５度、６０度のいずれかの角度で接続されることにより煙突のドラフト効果を減少させることがなくなり、煙突の排気性能を損なうことがないことと燃焼効率がより良くなる。
【００１２】
煙突が外側壁面に対して上向くように例えば、３０度、４５度、６０度のいずれかの角度で接続されると同時に、その傾きを持った煙突の前後には１２０度、１３５度、１５０度のいずれかの角度のついたＴ字型またはＬ字型の継ぎ手が接続されるため、従来の煙突接続時に使用する９０度のＴ字型またはＬ字型の継ぎ手に比べると継ぎ手角度が大きいため継ぎ手部の通路抵抗値は小さくすることができる。継ぎ手部の開き角度が大きいと、９０度型の継ぎ手に比べドラフト効果を減少させることがなくなり、煙突全体での排気性能を損なうことがないことと燃焼効率がより良くなる。
【００１３】
また、このとき煙突が傾きを持って壁を貫通するときに外側壁面側からの雨水の浸入を防止するため、煙突の外側から断熱材（めがね石）を隠してしまう大きさの煙突と同じ傾きを持った雨水進入防止化粧板（フラッシング等）を取り付けることにより貫通壁面部からの雨水の浸入を防止することができる。
【００１４】
請求項２の発明によれば煙突が傾きを持って壁を貫通するときに、外側外壁面からの雨水の浸入を防止する方法として煙突の傾きと同じ角度を持ったフラッシングを取り付ける方法とは別に煙突に直接、強化メガネ板を煙突に対して角度をつけて取り付け、強化支持板付き煙突を直接壁面内に差し込み外側壁面から煙突強化支持板で開口部を隠して取り付けることにより煙突強化支持板が雨水侵入防止を兼用した外壁側の化粧板とすることができる。
【００１５】
請求項３の発明は、内側壁面用煙突強化メガネ板を壁貫通煙突に直接取り付けたものか、その内側壁面用煙突強化メガネ板に煙突挿入用のガイド筒を取り付けることにより、煙突施工時室内側から煙突接続用の穴が見上げられる状態となるため施工が楽にできるようにしたものである。
【００１６】
請求項4の発明は、既存焼効率もたいへん良くなるのである。
【００１７】
【発明を実施するための最良の形態】
【００１８】
本発明の実施の形態を、図面に基づいてその作用効果を簡単に説明する。
【００１９】
【実施例１】
【００２０】
図１は本発明の第１の実施例に係わる角度のついた煙突が外壁側でフラッシング９により防水処理施工された図を示すもので、ストーブ１に接続された二重煙突３を戸外に出すときに、壁に貫通穴を開けてその穴から煙突を戸外に向けて接続、組み立てることになり、壁面に空けた穴に断熱材（メガネ石）４を挿入し、その断熱材（メガネ石）４の穴に煙突を挿入し、壁面、もしくは強化メガネ板２に煙突の支持角度を決める勾配煙突用金具20を取り付け、その勾配煙突用金具20の支持金具に煙突を固定することにより、壁面と煙突の角度を、３０度、４５度，６０度と任意の角度で固定してしまう。
【００２１】
この時、接続された煙突及び強化眼鏡板２の周囲からの雨水の浸入防止を目的に、屋外の外壁側にフラッシング（雨水浸入防止化粧板）９を取り付け、外部から雨水の浸入防止を施す。又、勾配煙突用金具20で固定された壁面に対して角度のついた煙突の前後には１２０度、１３５度、１５０度、のいずれかの角度のＴ字継ぎ手21もしくはＬ字継ぎ手22が接続されてストーブからの煙突３及び、戸外の大気放出側の煙突も垂直に立ち上げることができ、継ぎ手角度が９０度より大きく、また壁だし煙突の角度が水平でない為、煙突のドラフト効果は損なわれる事は無い。
【００２２】
図２は、本発明の第２の実施例に係わる強化メガネ板１２が煙突と一体になり、外壁面側から組み立てられた図を示すもので、壁面に空けられた穴に断熱材（メガネ石）４を挿入し、その断熱材（メガネ石）４の穴に強化メガネ板1２と一体になった煙突を挿入し、壁面に固定する。この時、外部勾配型強化眼鏡板一体煙突１２が雨水浸入防止を兼用した化粧板の役目も果たすことができ、施工の簡略化が図れる。
【００２３】
又、図２では強化メガネ板２と煙突8を一体としているが、強化メガネ板２に固定されている煙突径と、ストーブに接続される煙突外径が異なる場合を考え、強化メガネ板２に固定される管は、煙突ではなく、煙突径と異なる煙突が挿入できるガイド筒８であっても同様の効果が得られる。
【００２４】
図３は本発明の第３の実施例に係わる強化メガネ板２が煙突と一体になり、内壁面側から組み立てられた図を示すもので、強化メガネ板２と煙突、もしくは煙突が挿入されるガイド筒８が一体になっており、施工時に一体となった強化ガイド板１3を室内側から壁にあけた穴に設置された断熱材（メガネ石）４に挿入するため作業性が向上する。
【図面の簡単な説明】
【００２５】
【図１】本実施例に示す壁面を煙突が貫通時に角度を持って外壁側からフラッシングによる雨水の防水処理施工された図。
【図２】本実施例に示す外部勾配型強化眼鏡板一体煙突及びガイド筒付き勾配型強化眼鏡板一体煙突が外部壁面から組み立てされた図。
【図３】本実施例に示す内部勾配型強化眼鏡板一体煙突及びガイド筒付き勾配型強化眼鏡板一体煙突が内側壁面から組み立てされた図。
【符号の説明】
【００２６】
１．             
ストーブ
２．             
外部眼鏡石カバー
３．             
二重煙突
４．             
断熱材（眼鏡石）
５．             
ウォールサポート(受け )
６．             
内部眼鏡石カバー
７．             
支持受け金具
８．             
勾配二重煙突、勾配ガイド筒
９．             
フラッシング  
１０．       
二重90°Ｔ曲り
１１．       
シングル煙突曲り
１２．       
外部勾配型強化眼鏡板一体煙突及び勾配型ガイド筒
１３．       
内部勾配型強化眼鏡板一体煙突及び勾配型ガイド筒
１４．       
アダプター
１５．       
２重煙突接続バンド
１６．       
トップ
１７．       
口元用煙突
１８．       
雨仕舞いカラー
１９．       
二重曲り煙突
２０．       
勾配煙突用金具
２１．       
二重Ｔ型継ぎ煙突（掃除口付き二重煙突  ）
２２．       
二重Ｌ型継ぎ煙突
２３．       
ビス、釘   
【図１】
2007278617.tif 000003
【図２】
2007278617.tif 000004
【図３】
2007278617.tif 000005